(57)【要約】【課題】タッチパネルを備えた表示装置において、タッチパネルと表示画面との間に堆積したり付着したチリや埃に起因する表示画面の品位の低下を防ぎ、常に高品位の表示を行うようにする。【解決手段】表示装置１０は、情報を表示する表示手段１１と、表示手段１１の前面側に所定の間隙を介して取り付けられたタッチパネル１２とを備えている。タッチパネル１２は、利用者による入力操作によりその一部が表示手段１１側に撓んで変形する。このときにタッチパネル１２と表示手段１１との距離が変化する。これによりタッチパネル１２と表示手段１１との間で空気の対流が生じ、タッチパネル１２の筐体に設けられた貫通孔を通してチリや埃とともに空気が排出される。またタッチパネル１２と表示装置１１との間に弾性部材１２３を介在させることにより、タッチパネル１２に振動を生じさせ、空気の対流を促進させることができる。【選択図】図１
2009047987.tif 000002
【特許請求の範囲】
【請求項１】
情報を表示する表示手段と、該表示手段の前面側に該表示装置との間に空間が生じるように取り付けられたタッチパネルとを備えた表示装置であって、
前記タッチパネルは、該タッチパネルに対する入力操作により生じる押圧力に応じて、該タッチパネルの少なくとも一部が前記表示手段側に撓んで変形し、該変形に応じて前記タッチパネルと前記表示手段との距離が変化することを特徴とする表示装置。
【請求項２】
請求項１に記載の表示装置において、該表示装置は、利用者による入力操作を受け付けるための入力操作画面を表示可能であって、
該入力操作画面を前記表示装置の表示画面の下方に表示させることを特徴とする表示装置。
【請求項３】
請求項１に記載の表示装置において、前記タッチパネルを支持する筐体の少なくとも一部に、前記タッチパネルと前記表示手段との間に介在させる弾性部材が取り付けられていることを特徴とする表示装置。
【請求項４】
請求項３に記載の表示装置において、前記筐体は矩形形状を有し、前記弾性部材は、前記矩形形状の長手方向を形成する前記筐体の壁部の少なくとも一部、または短手方向を形成する前記筐体の壁部の少なくとも一部に設けられていることを特徴とする表示装置。
【請求項５】
請求項３に記載の表示装置において、前記筐体は矩形形状を有し、前記弾性部材は、前記矩形形状の長手方向を形成する前記筐体の壁部の少なくとも一部と、前記矩形形状の短手方向を形成する前記筐体の壁部の少なくとも一部とに設けられていることを特徴とする表示装置。
【請求項６】
請求項３〜５のいずれか１に記載の表示装置において、前記筐体の壁部の少なくとも一部に貫通孔を設け、前記タッチパネルと前記表示装置の間の空間と、前記筐体の外部の空間とを前記貫通孔により連通させることを特徴とする表示装置。
【請求項７】
請求項６に記載の表示装置において、前記貫通孔は、該矩形形状の長手方向を形成する前記壁部、または前記短手方向を形成する前記壁部に設けられていることを特徴とする表示装置。
【請求項８】
請求項６に記載の表示装置において、前記貫通孔は、該矩形形状の長手方向を形成する前記壁部、及び前記矩形形状の短手方向を形成する前記壁部に設けられていることを特徴とする表示装置。
【請求項９】
請求項６〜８のいずれか１に記載の表示装置において、前記弾性部材は、前記筐体の壁部に設けられた貫通孔の開口領域に少なくとも一部が一致する開口領域を持つ貫通孔を備えていることを特徴とする表示装置。
【請求項１０】
請求項１〜９のいずれか１に記載の表示装置において、前記タッチパネルと前記表示手段との距離は、前記タッチパネルが変形していない状態で、２ｍｍ以上かつ２０ｍｍ以下であることを特徴とする表示装置。
【発明の詳細な説明】
【技術分野】
【０００１】
本発明は、表示装置、より詳細には、タッチパネルによって画面に情報を書き込むことを可能とした表示装置に関する。
【背景技術】
【０００２】
例えば会議等に使用されるホワイトボードには、マジックなどの筆記手段により書き込まれた情報を光学的に走査して、これにより得られた情報を感熱紙に印刷する印刷手段が備えられている。このようなホワイトボードを用いて会議が行われた場合、ホワイトボード上に書き込まれた議事内容（イメージ情報）を会議終了後に感熱紙に印刷し、さらに会議参加者にそのコピーを配布する作業等が行われる。
また、従来のホワイトボードを利用した会議においては、会議終了後に、印刷された議事内容を、ワードプロセッサなどを用いて新たに電子化する作業が必要となる場合がある。
【０００３】
これに対して、例えばタッチペンのような入力手段を用いて大型表示装置上に自由な書式で議事内容を書き込むことを可能とし、書き込まれた議事内容を全て電子化することにより、会議終了後の文書管理、参加者への配布、そして内容の加工などを簡単に実行できるようにした電子会議システムが提案されている。
【０００４】
上記のような電子会議システムに関し、例えば特許文献１には、ホワイトボードである大型ディスプレイと、大型ディスプレイ上に直接書込みをする電子ペンと、サーバー機能を備えた専用アプリケーションが稼働する第１パーソナルコンピュータと、それに接続した小型ディスプレイと、第１パーソナルコンピュータにＬＡＮを介して接続した第２パーソナルコンピュータと、それに接続する小型ディスプレイと、を備えた電子会議システムが開示されている。ここで上記の専用アプリケーションは、大型ディスプレイと小型ディスプレイ上に、電子ペンにより記入された議事内容を含む共通の画面を表示させ、この画面を電子化して保存する。
【特許文献１】特開２０００−５６７４７号公報
【発明の開示】
【発明が解決しようとする課題】
【０００５】
上記のような議事内容などの情報を書き込むための入力手段を備えた表示装置では、その入力手段としてタッチパネルを用いた構成のものが提案されている。ここでは表示装置の表示画面の前面側にタッチパネルを一体的に取り付け、利用者の操作をタッチパネルにより読み込んで、その操作に応じた表示を行わせる。これにより、利用者は、表示装置の画面に対して直接に情報を書き込む感覚で任意の情報を表示させることができる。
【０００６】
このようなタッチパネルを備えた表示装置では、表示装置の画面とタッチパネルとの間に空隙が存在し、この空隙の部分に空気中のチリや埃が堆積したり付着したりすることによって、表示画像にぼけや輝度ムラなどが生じ、表示画像の品位が低下する、という問題があった。
特許文献１は、仮想的なホワイトボードとして利用される表示部に対して直接情報を書き込めるような構成が開示されているものの、上記のような表示装置とタッチパネルとの間のチリや埃に起因する表示画像の品位低下を解決する技術思想については何ら開示していない。
【０００７】
本発明は、上述のごとき実情に鑑みてなされたもので、タッチパネルを備えた表示装置において、タッチパネルと表示画面との間に堆積したり付着したチリや埃に起因する表示画面の品位の低下を防ぎ、常に高品位の表示を行うことができるようにした表示装置を提供することを目的とする。
【課題を解決するための手段】
【０００８】
上記課題を解決するために、本発明の第１の技術手段は、情報を表示する表示手段と、表示手段の前面側に表示装置との間に空間が生じるように取り付けられたタッチパネルとを備えた表示装置であって、タッチパネルは、タッチパネルに対する入力操作により生じる押圧力に応じて、タッチパネルの少なくとも一部が表示手段側に撓んで変形し、変形に応じてタッチパネルと表示手段との距離が変化することを特徴としたものである。
【０００９】
第２の技術手段は、第１の技術手段において、表示装置が、利用者による入力操作を受け付けるための入力操作画面を表示可能であって、入力操作画面を表示装置の表示画面の下方に表示させることを特徴としたものである。
【００１０】
第３の技術手段は、第１の技術手段において、タッチパネルを支持する筐体の少なくとも一部に、タッチパネルと表示手段との間に介在させる弾性部材が取り付けられていることを特徴としたものである。
【００１１】
第４の技術手段は、第３の技術手段において、筐体は矩形形状を有し、弾性部材が、矩形形状の長手方向を形成する筐体の壁部の少なくとも一部、または短手方向を形成する筐体の壁部の少なくとも一部に設けられていることを特徴としたものである。
【００１２】
第５の技術手段は、第３の技術手段において、筐体が矩形形状を有し、弾性部材が、矩形形状の長手方向を形成する筐体の壁部の少なくとも一部と、矩形形状の短手方向を形成する筐体の壁部の少なくとも一部とに設けられていることを特徴としたものである。
【００１３】
第６の技術手段は、第３〜５のいずれかの技術手段において、筐体の壁部の少なくとも一部に貫通孔を設け、タッチパネルと表示装置の間の空間と、筐体の外部の空間とを貫通孔により連通させることを特徴としたものである。
【００１４】
第７の技術手段は、第６の技術手段において、貫通孔は、矩形形状の長手方向を形成する壁部、または短手方向を形成する壁部に設けられていることを特徴としたものである。
【００１５】
第８の技術手段は、第６の技術手段において、貫通孔は、矩形形状の長手方向を形成する壁部、及び矩形形状の短手方向を形成する壁部に設けられていることを特徴としたものである。
【００１６】
第９の技術手段は、第６〜第８のいずれかの技術手段において、弾性部材は、筐体の壁部に設けられた貫通孔の開口領域に少なくとも一部が一致する開口領域を持つ貫通孔を備えていることを特徴としたものである。
【００１７】
第１０の技術手段は、第１〜第９のいずれかの技術手段において、タッチパネルと表示手段との距離は、タッチパネルが変形していない状態で、２ｍｍ以上かつ２０ｍｍ以下であることを特徴としたものである。
【発明の効果】
【００１８】
本発明によれば、タッチパネルを備えた表示装置において、タッチパネルと表示画面との間に堆積したり付着したチリや埃に起因する表示画面の品位の低下を防ぎ、常に高品位の表示を行うことができるようになる。
【発明を実施するための最良の形態】
【００１９】
図１及び図２は、本発明による表示装置の一実施形態を示す斜視図で、図１は台座によって支持された形態で使用される表示装置の使用形態の一例を示す図、図２は図１の台座に取り付けられていた電子機器を取り外した状態を示す図である。
【００２０】
本発明の一実施形態に係る表示装置１０は、表示手段１１と、表示手段１１の前面側に設けられたタッチパネル１２とを備えている。表示手段１１としては、液晶ディスプレイ（Liquid Crystal Display）、プラズマディスプレイ（Plasma Display Panel）、電界放出ディスプレイ（Field Emission Display）、表面伝導型電子放出素子ディスプレイ（Surface-conduction Electron-emitter Display）、有機ＥＬディスプレイ（Organic Electroluminescence Display）等の薄型かつ大型の表示装置を適用することができる。またタッチパネル１２は、利用者等によるタッチ位置の座標を検出して、その検出結果に基づいて表示手段１１の表示が制御される。
【００２１】
本例では、例えば電子会議などにも適用可能な大型の表示画面をもつ表示装置１０を用い、この表示装置１０を台座（スタンド）２０によって下方から支持する。台座２０には、プリンタ３０及びスキャナ装置４０などの電子機器を備えることができる。またプリンタ３０の後方や表示装置１０の後方には、ＰＣ（パソコン）などの制御装置（コントローラ）を置くことができる。
【００２２】
また表示装置１０を支持する台座２０は、左右一対の脚部２１と、基台２２と、転倒防止脚２３とを備えている。転倒防止脚２３は、基台２２に対して前後にスライド可能に設置されていて、転倒防止脚２３の上面には、プリンタ３０等の電子機器を置くための載置台２４が形成されている。この例では、転倒防止脚２３の載置台２４上にプリンタ３０が置かれている。そして転倒防止脚２３を表示装置１０の前面手前側に引き出すことにより、台座２０をより安定させることができ、台座２０の転倒をより効果的に防止することができる。
【００２３】
またプリンタ３０の上方の脚部２１の内側空間には、スキャナ装置４０が取り付けられている。スキャナ装置４０は図示しないレール機構などにより、前方にスライドして引き出し可能に構成される。
さらに基台２２の底部には、基台キャスター２５ａが設けられ、また転倒防止脚２３の底部には転倒防止脚キャスター２５ｂが設けられ、これらにより表示システム全体が移動可能となっている。
【００２４】
図３は、本発明に係る表示装置を使用した表示システムの構成例を説明するためのブロック図である。本例の表示システムは、表示装置１０、プリンタ３０、スキャナ装置４０、及び制御装置（コントローラ）５０を備えている。
表示装置１０は、上述したように表示手段１１と、表示手段１１の前面側に設けられたタッチパネル１２とを備えている。タッチパネル１２は、利用者等によるタッチ位置の座標を検出して制御装置（コントローラ）５０に送る。
【００２５】
制御装置５０は、表示手段１１に表示させる表示画面を制御するもので、タッチパネル１２で検出されたタッチ位置の座標情報に従って、表示装置１０にさまざまな情報を表示させる。例えばタッチペンを使用してタッチパネル１２上に描かれた文字などの情報を表示手段１１に表示させる処理を行う。制御装置５０としては、例えばＰＣ（パソコン）が用いられる。
【００２６】
プリンタ３０は、表示手段１１に表示させた表示情報を印刷出力する。ここでは、表示手段１１に表示されている画像情報を制御装置５０の制御によってプリンタ３０に出力することで、プリンタ３０にて表示手段１１の表示情報を印刷出力させることができる。またプリンタ３０は、制御装置５０に接続されたスキャナ装置４０で取り込んだ画像データの印刷出力なども行うことができる。
【００２７】
スキャナ装置４０は、原稿画像を読み取って電子化するための装置であり、原稿画像を読み取ることで得られた画像データを制御装置５０に出力する。スキャナ装置４０で読み取られた画像データは、制御装置５０の制御によって表示手段１１に表示させることができる。また上述のようにプリンタ３０から印刷出力させることもできる。
【００２８】
また上記の例ではＰＣなどの制御装置５０によって、表示手段１１への画像表示処理やプリンタ３０への画像出力処理を行っているが、表示装置１０がこれら画像処理機能を備えた情報処理装置を内蔵するものであってもよい。またＰＣ等の制御装置５０との間で処理機能を分散した情報処理部を表示装置１０に備えたものであってもよい。
【００２９】
上記の、表示手段１１、タッチパネル１２、プリンタ３０、スキャナ装置４０、及び制御装置５０は、ＵＳＢ Ｉ／Ｆで相互に接続されている。また特にＵＳＢ Ｉ／Ｆでなくても、イーサネット（登録商標）、電力通信、無線ＬＡＮ、Ｂｌｕｅｔｈｏｏｔｈ、ＵＷＢ（ウルトラワイドバンド）、及びＷｉ−ＭＡＸ等の接続手段が適用可能である。
【００３０】
図４は、本発明に係る表示装置の一実施形態の正面図である。表示装置１０は、表示手段１１（図４では図示せず）と、その表示手段１１の前面側に設置されているタッチパネル１２とを備えている。表示手段１１は、上記のようにＬＣＤなどの大型ディスプレイを用いることができる。またタッチパネル１２と表示手段１１との間には、所定の空間が設けられている。
【００３１】
タッチパネル１２は、剛性をもった筐体１２１に支持されて構成されている。そしてこの筐体１２１は、固定ピン１２２を使用して表示手段１１に固定されている。図４の例では、筐体１２１は矩形形状を有していて、その矩形形状の周囲には、表示手段１１を左右及び上下から囲む壁部が設けられている。これらの壁部は垂直方向の左右の壁部と、水平方向の上下の壁部とからなっている。この例では、矩形形状の筐体の長手方向に上下の壁部が配され、筐体の短手方向に左右の壁部が配されている。そして複数の固定ピン１２２により、筐体１２１の左右の壁部が表示手段１１に固定されている。
【００３２】
タッチパネル１２を支持する筐体１２１には、タッチパネル１２と表示手段１１との間に介在させる弾性部材１２３が取り付けられている。この例では、弾性部材１２３は、筐体１２１の周囲に設けられた壁部の全長に亘って取り付けられている。従ってタッチパネル１２と表示手段１１との間の空間は、その周囲全長に配された弾性部材１２３によって囲まれた空間となる。
【００３３】
弾性部材１２３の材料としては、ＮＢＲ（アクリロニトリル・ブタジエンゴム）、シリコン、発泡ウレタン等を好適に用いることができる。またこれらに限定されることなく、各種のゴムやエラストマー系の弾性材料、軟質〜硬質の弾性樹脂材料などを用いることができる。あるいは樹脂や金属を加工することで弾性変形が可能な特性を付与した弾性部材を適用することもできる。
【００３４】
図５は上記図４に示した表示装置の側面を示す図で、図６は上記図４に示す表示装置のＡ−Ａ断面を示す図である。
上述したように、タッチパネル１２を支持する筐体１２１の左右の壁部が固定ピン１２２を用いて表示手段１１に固定されている。そしてこの筐体１２１には、タッチパネル１２と表示手段１１との間に介在させる弾性部材１２３が設けられている。弾性部材１２３は本例では、上述したように筐体１２１の周囲全長に亘って設けられている。
【００３５】
そして図５に示すように、筐体１２１の側壁部には複数の貫通孔１２４が設けられる。また図６に示すように、筐体１２１に取り付けられる弾性部材１２３には複数の貫通孔１２５が設けられる。
筐体１２１に設けられる貫通孔１２４と、弾性部材１２３に設けられた貫通孔１２５とは、その開口領域が一致するか、すくなくとも開口領域が重なるように構成されているため、弾性部材１２３で囲まれたタッチパネル１２と表示手段１１との間の内部空間と、筐体１２１の外部空間とが連通されるようになっている。
【００３６】
図４及び図５に示す構成は、筐体１２１の左右の壁部で同様となっている。さらに表示装置１０の側面のみならず、表示装置１０の上側及び下側の壁部も同様の構成になっている。つまり筐体１２１の上下左右の壁部には貫通孔１２５が設けられ、さらにその部分の弾性部材１２３にも貫通孔１２４が設けられ、これにより弾性部材１２３で囲まれたタッチパネル１２と表示手段１１との間の内部空間と、筐体１２１の外部空間とが連通されるようになっている。
【００３７】
上記のような構成により、利用者がタッチパネル１２に入力操作を行ったときに、その入力操作による押圧力が作用して、タッチパネル１２の少なくとも一部が表示手段１１側に撓んで変形する。このときに、タッチパネル１２と表示手段１１との距離が変化し、タッチパネル１２と表示手段１１との間の空間に空気の対流が生じる。
このときにタッチパネル１２と表示手段１１との間に弾性部材１２３が設けられているため、利用者の入力操作による押圧力が付与されたときに、タッチパネル１２に振動を効果的に生じさせることができ、これによりタッチパネル１２と表示手段１１との間の空気対流を促進させることができる。
【００３８】
そしてこの対流により、タッチパネル１２と表示手段１１との間の空間から、貫通孔１２４，１２５を通して外部に空気が流出する。これにより、タッチパネル１２と表示手段１１との間の空間に堆積したり付着したりしているチリや埃を外部に排出することができる。
このような作用によって、タッチパネル１２と表示手段１１との間に堆積したり付着したチリや埃に起因する表示画面の品位の低下を防ぎ、常に高品位の表示を行うことができるようにした表示装置１０を提供することができる。
【００３９】
なお上記の例では、タッチパネル１２と表示手段１１との間に介在させる弾性部材１２３は、矩形形状の筐体１２１の周囲の壁部の全長にわたって設けられているが、周囲全長ではなくその一部に弾性部材１２３を設けるようにしてもよい。
例えば、矩形形状の筐体の周囲の壁部うち、矩形形状の長手方向を形成する壁部の少なくとも一部にのみ弾性部材１２３を設けるようにしてもよい。図４の例では、長手方向を形成する壁部は、筐体１２１の水平方向の上側壁部と下側壁部が該当する。
【００４０】
この場合、長手方向の壁部の全長にわたって弾性部材１２３を設けてもよく、また長手方向の壁部の一部分にのみ、弾性部材１２３を設けるようにしてもよい。この場合、筐体１２１の短手方向（図４では垂直方向）の壁部に弾性部材１２３が設けられていないため、筐体１２１の左右の壁部では、貫通孔１２４のみによって、タッチパネル１２と表示手段１１との間の内部空間と、筐体１２１の外部空間との連通構造が実現される。
【００４１】
同様に矩形形状の筐体１２１の周囲の壁部のうち、その矩形形状の短手方向を形成する壁部にのみ弾性部材１２３を設けるようにしてもよい。このときに短手方向の壁部の全長にわたって弾性部材１２３を設けてもよく、その一部分にのみ弾性部材１２３を設けるようにしてもよい。
また上記の例からも明らかなように、矩形形状の筐体１２１の壁部のうち、長手方向を形成する壁部の少なくとも一部と、短手方向を形成する壁部の少なくとも一部とに弾性部材１２３を設けることができる。
【００４２】
長手方向または短手方向を形成する壁部の一部分にのみ弾性部材１２３を設ける場合には、筐体１２１の貫通孔１２５の開口領域を除いた領域に、部分的に弾性部材１２３を設けることで、タッチパネル１２と表示手段１１との間の内部空間と、筐体１２１の外部空間との連通構造が実現される。
【００４３】
また上記のような構成において、タッチパネル１２と表示手段１１との間の距離は、２ｍｍ以上で２０ｍｍ以下とする。これは、タッチパネル１２による押圧力でタッチパネル１２が変形していない状態における距離を指すものとする。
タッチパネル１２と表示手段１１との間の距離が２ｍｍ未満では、タッチパネル１２が利用者により押圧されて変形したときに、その変形量が制限されるため、タッチパネル１２と表示手段１１との間に生じる空気の対流が不十分となる。これにより貫通孔１２５を通したゴミや埃の排出を十分に行うことができなくなる。
【００４４】
さらにタッチパネル１２と表示手段１１との間の距離が２ｍｍ未満の場合、タッチパネル１２が利用者により押圧されて変形したときに、表示手段１１の表示画面にタッチパネル１２が接触して、表示画面を傷つける恐れが生じる。あるいは、表示装置１０を移動させる際に、その振動によって表示手段１１の表示画面にタッチパネル１２が接触し、表示画面を傷つける恐れが生じる。
【００４５】
一方、タッチパネル１２と表示手段１１との距離が２０ｍｍを超えると、タッチパネル１２を支持する筐体１２１が大きくなり、タッチパネル１２の筐体１２１自体のコストアップを招来する。また筐体１２１を含むタッチパネル１２の総重量が増大するため、表示装置１０を支持する脚部の強度を高める必要があり、コストアップの要因となる。
【００４６】
図７は、本発明に係る表示装置における入力操作画面の表示例を示す図である。表示装置１０は、その表示手段１１により、利用者による入力操作を受け付けるための入力操作画面１０１が表示可能である。入力操作画面１０１には、例えば、“画面選択メニュー”、“基本選択メニュー”、“タッチペン設定メニュー”などの指定ボタン（表示領域）が設定され、利用者がタッチペン１１１を用いて任意の指定ボタンを指定することにより、その指定ボタンに応じて、予め用意されたメニュー画面が表示される。利用者はさらに所望の操作を行うことで、所望の設定や表示指示などを行うことができる。
【００４７】
この場合に表示装置１０では、入力操作画面１０１を表示手段１１の表示画面の下方に表示させる。利用者が入力操作画面１０１の操作を行うと、入力操作画面１０１の表示位置、すなわちタッチパネル１２の下方をタッチペン１１１により押圧することになる。ここでタッチパネル１２と表示手段１１の間では、チリや埃がその下方に堆積しやすい。従ってタッチパネル１２がその下方の位置で押圧されるようにすることで、下方に堆積したチリや埃を効果的に排出することができるようになる。
【００４８】
また表示装置１０の下部には、タッチペン１１１やそのタッチペン１１１を保持させておくためのタッチペンホルダ１１２、及び表示装置１０の電源スイッチ１１３などを設けておく。こうして利用者は、入力操作画面１０１を操作するときに、その近傍にタッチペン１１１があるために操作がしやすく、また無意識のうちに、タッチパネル１２へ下方への押圧操作を行なわせることができる。これにより、タッチパネル１２と表示手段１１との間に付着したり堆積したりしているチリや埃を、効果的に筐体１２１の外部に排出させることができる。
【図面の簡単な説明】
【００４９】
【図１】台座によって支持された形態で使用される表示装置の使用形態の一例を示す図である。
【図２】図１の台座に取り付けられていた電子機器を取り外した状態を示す図である。
【図３】本発明に係る表示装置を使用した表示システムの構成例を説明するためのブロック図である。
【図４】本発明に係る表示装置の一実施形態の正面図である。
【図５】図４に示した表示装置の側面を示す図である。
【図６】図４に示す表示装置のＡ−Ａ断面を示す図である。
【図７】本発明に係る表示装置における入力操作画面の表示例を示す図である。
【符号の説明】
【００５０】
１０…表示装置、１１…表示手段、１２…タッチパネル、２０…台座、２１…脚部、２２…基台、２３…転倒防止脚、２４…載置台、２５ａ…基台キャスター、２５ｂ…転倒防止脚キャスター、３０…プリンタ、４０…スキャナ装置、５０…制御装置、１０１…入力操作画面、１１１…タッチペン、１１２…タッチペンホルダ、１１３…電源スイッチ、１２１…筐体、１２２…固定ピン、１２３…弾性部材、１２４…貫通孔、１２５…貫通孔。
【図１】
2009047987.tif 000003
【図２】
2009047987.tif 000004
【図３】
2009047987.tif 000005
【図４】
2009047987.tif 000006
【図５】
2009047987.tif 000007
【図６】
2009047987.tif 000008
【図７】
2009047987.tif 000009